(57)【要約】本発明は椅子やマットなどの表面に載せて使うか下部に敷いて使うことができるようにした汎用発熱パッドに係り、より詳しくは直流または交流電源の選択的な結合が可能なコントローラーを持つ発熱体を多様な表皮材の内部に構成してなった発熱パッドを構成することにより、温熱が必要な多様な対象物に載せて使うとか下部に敷いて使うこともでき、対象物に直接付着して使うこともできるので、サイズの調整によって対象物による制限が全然発生しなくて非常に効率的なものであり、必要によって交流電源や直流電源または充電式電源の選択使用が可能なので室内及び室外と移動手段でも効果的な使用が可能であり、内部発熱体を分割してこれらを順次点滅させる場合には潜熱を用いた発熱作用によって電力節減効果に優れて消耗電力を節減させることができ、消費電力の節減はもちろんのこと、充電式電源部の使用時間が大きく延ばされるので非常に経済的なものである。【選択図】図１
2013512550.tif 000002
【特許請求の範囲】
【請求項１】
コントローラー２０が連結された発熱体１０を備え、前記発熱体１０はコントローラー２０による電源の断続制御によって発熱するように構成され、前記発熱体１０の外部全面には発熱体１０を保護するための付加の表皮材３０を備えた汎用発熱パッド４０において、
前記コントローラー２０に電源が印加されれば、コントローラー２０によって設定の温度及び時間で前記発熱体１０が作動し、前記発熱体１０による熱気は表皮材３０を介して表面に伝導されるように構成され、表皮材３０の内側に位置する発熱体１０は平面上で縦横方向に離隔して区分されるように配置された分割発熱体１０’、１０”の組合せでなり、前記分割発熱体１０’、１０”はコントローラー２０によって個別的に順次電源が断続されるようにして、全ての分割発熱体１０’、１０”が順次点滅による発熱サイクルで繰り返し作動するように構成されることを特徴とする、汎用発熱パッド。
【請求項２】
前記コントローラー２０は、外部から電源を受ける電源供給部２１と、発熱体１０の発熱時間を調節する時間調節部２２と、発熱体の発熱温度を調節する温度調節部２３と、前記時間調節部２２及び温度調節部２３によって設定された時間及び温度で電源供給部２１から発熱体１０への電源が自動で制御されて供給されるようにする中央処理部２４と、設定された温度及び発熱温度と設定された時間を出力する表示部２５とを含んでなることを特徴とする、請求項１に記載の汎用発熱パッド。
【請求項３】
前記電源供給部２１は、家庭用電源に接続されるようにしたＡＣコード２６と前記家庭用電源を変圧するダウントランス２６’によってＡＣ２４Ｖ以下の電源を印加するように構成されることを特徴とする、請求項２に記載の汎用発熱パッド。
【請求項４】
前記電源供給部２１は、トランス回路と整流回路を持つＡＣアダプダ２７によって家庭用電源がＤＣ２４Ｖ以下の状態で印加されるように構成されることを特徴とする、請求項２に記載の汎用発熱パッド。
【請求項５】
前記電源供給部２１には内装充電部２８が設けられ、前記充電部２８はトランス回路、整流回路及び充電回路を持つ充電器２８’が連結され、前記充電器２８’によって充電部２８の充電が完了した状態で電源供給部２１は発熱体１０の移動状態で電源を供給するように構成されることを特徴とする、請求項２に記載の汎用発熱パッド。
【発明の詳細な説明】
【技術分野】
【０００１】
本発明は椅子やマットなどの表面に載せて使うとか下部に敷いて使うことができるようにした汎用発熱パッドに係り、より詳しくは直流または交流電源の選択的な結合が可能なコントローラーを持つ発熱体を多様な表皮材の内部に構成してなった発熱パッドを構成することにより、必要によって多様なサイズに製作された発熱パッドを各種対象物の上側に載せて使うとか下部に敷いて使うこともでき、対象物に直接固定して使うことができるので、非常に効率的なものであり、順次発熱方式によって消耗電力を最少化して電力節減効果に非常に優れたものである。
【背景技術】
【０００２】
近年、多様な面状発熱体またはフレキシブル発熱体などが開発されており、前記発熱体を用いた多様な発熱製品が市販されている。
【０００３】
前記発熱製品は、冬期または気温の低い環境で作業をするか、あるいは学習やレジャーまたは日常生活をする場合、電源が印加された発熱体による温熱作用によって使用者の体温を効果的に保護することができるものである。
【０００４】
このような発熱製品の代表的な例は、発熱ベスト、発熱シート、発熱座布団及び発熱マットがある。前記のような多様な発熱製品は別の発熱体をベスト、シートまたは座布団のような対象物の内部に挿入固定することで出来上がるものである。これにより、前記発熱体は外部から隠蔽されていて普通のベスト、シート、座布団またはマットの形状を持っているが、別の電源供給によって内装の発熱体が発熱しながら暖かい温熱作用をするものである。
【０００５】
しかし、前記のような発熱体はその発熱体が固定されて使われるための直接的な対象物を必ず要求するもので、前記発熱体はその自体を製品として使うことができないため、必ず前記のようなベスト、シート、座布団またはマットの内側に挿入して固定する形にだけ使われる問題点を持つものである。
【０００６】
これにより、前記のように発熱体が内装された各種発熱製品は冬期ではない季節には使用が不必要になるので、高価の発熱製品の経済性が大きく落ちるものであり、既存に保有していた普通の一般製品と前記発熱製品をそれぞれ購買しなければならないので、経済的な負担が加重される弊端を持っているものである。すなわち、前記のような発熱体が内装された各種発熱製品の場合、通常冬季用として購買することになるが、夏期や酷暑期のように発熱製品が不必要な場合には前記発熱製品を使う必要がなくなるとともに夏季用として新製品を購買しなければならないため、二重の経済的な損失が発生することになるものである。
【０００７】
なお、ベビーカー、車椅子、テントまたは寝袋のように移動性が要求されながらも電源の供給が容易でない製品の場合には、前記発熱体を内装することがほぼ不可能であると思われている。敢えて前記のような移動性製品に発熱体を内装したと言っても充電式電源供給部の電力消耗量が非常に大きくて使用時間が極めて短い問題点を持っているものである。
【発明の概要】
【発明が解決しようとする課題】
【０００８】
本発明は前記のような問題点を改善したもので、交流電源または直流電源の選択的連結が可能なコントローラーによって制御作動される発熱体の全体を多様な表皮材に内装してなった単独型発熱パッドを形成することにより、前記発熱パッドのサイズのみを異にし、これを多様な対象物に載せて使うか下部に敷いて使うことができるようにしながらも必要によっては対象物に直接固定して使うことができるようにするので、従来の発熱製品が持っていた諸般問題点を合理的に克服した汎用発熱パッドを提供することに本発明の目的があるものである。
【課題を解決するための手段】
【０００９】
前述したような目的を達成するための本発明は、コントローラーが連結された発熱体を備え、前記発熱体はコントローラーによる電源の断続制御によって発熱し、前記発熱体は発熱体の外部前面に形成される表皮材内に挿入してなる単一体の発熱パッドで構成することで、コントローラーに電源が印加されれば、コントローラーによって設定された温度及び時間で前記発熱体が作動するようにし、前記発熱体による熱気は表皮材を介して表面に伝導されるように構成されるものである。
【発明の効果】
【００１０】
本発明は、温熱が必要な多様な対象物に載せて使うとか下部に敷いて使うこともでき、対象物に直接付着して使うこともできて、サイズの調整だけでも対象物に対する制限が全然発生しないので、非常に効率的なものであり、必要によって交流電源または直流電源もしくは充電式電源の選択使用が可能なので、室内及び室外でかつ移動手段にも効果的な使用が可能なものであり、内部発熱体を分割形成し、これらを順次点滅させる場合には、潜熱を用いた発熱作用によって電力節減効果が優れて消耗電力を減少させることができて、消費電力の減少はもちろんのこと、充電式電源部の使用時間が大きく延ばされるので非常に経済的なものである。
【図面の簡単な説明】
【００１１】
【図１】本発明による発熱パッドの全図である。
【図２】本発明による発熱パッドの内部発熱体の電源供給線図である。
【図３】本発明による発熱パッドの断面図である。
【図４】本発明による発熱パッドの表皮材の他の実施例を示す拡大断面図である。
【図５】本発明による発熱パッドの表皮材のさらに他の実施例を示す拡大断面図である。
【図６】本発明による発熱パッドの表皮材のさらに他の実施例を示す拡大断面図である。
【図７】本発明による発熱パッドの表皮材のさらに他の実施例を示す拡大断面図である。
【図８】本発明による発熱パッドの表皮材の他の実施例を示す拡大断面図である。
【図９】本発明による発熱パッドの発熱体の他の実施例を示す図である。
【図１０】図９の発熱体の電源連結線図である。
【図１１】本発明による発熱パッドのコントローラーを示すブロック構成図である。
【図１２】本発明による発熱パッドの電源供給部の実施例を示す図である。
【図１３】本発明による発熱パッドの電源供給部の他の実施例を示す図である。
【図１４】本発明による発熱パッドの電源供給部のさらに他の実施例を示す図である。
【発明を実施するための形態】
【００１２】
本明細書及び請求範囲に使用された用語や単語は通常的意味または辞書的意味に限定して解釈されてはならず、発明者は自分の発明を最良の方法で説明するために用語の概念を適切に定義することができるという原則によって本発明の技術的思想に合う意味及び概念に解釈されなければならない。
【００１３】
以下、添付図面に基づいて本発明の好適な実施例を詳細に説明する。
【００１４】
図１は本発明による発熱パッドの全図である。
【００１５】
図示のように、本発明の発熱パッド４０は、コントローラー２０が連結された発熱体１０の外部に表皮材３０が形成されてなるもので、前記発熱体１０は表皮材３０によって隠蔽されているので、実際に外観から見られるものは表皮材３０とコントローラー２０である。
【００１６】
このような発熱パッド４０は前記表皮材３０によって内部の発熱体１０が保護されるので、表皮材３０の種類によって防水性、耐久性、絶縁性及び耐火学性が向上するものであり、前記コントローラー２０から発熱体１０に電源が印加されれば発熱体１０が発熱するもので、前記表皮材３０を介して熱伝導がなされて発熱パッド４０の全体に対して温熱作用が起こるものである。
【００１７】
このような本発明の発熱パッド４０は多様なサイズへの製作が可能であって用途の制限を受けなく、前記表皮材３０によって内部の発熱体１０が保護された状態であるので、前記のような発熱パッド４０を普段の製品のように単独でも使うことができるものである。
【００１８】
これにより、前記発熱パッド４０を用途に合うように適当なサイズに製作し、これをベビーカーのシート部、あるいは自動車、線舶、汽車または航空機などの座席に載せて使うこともできるはずであり、車椅子、カーシートまたは乳児用キャリアに載せて使うこともできる。
【００１９】
また、前記発熱パッド４０をもっと大きく製作し、これをベッドカバー、ソファーカバー、カーペット、あるいは多様なマット、毛布、床シート、布団、寝袋、テントなどの底面に載せて使うとか底面に敷いて使うこともできるので、温熱作用が必要なほとんどの製品に適用することができるものである。
【００２０】
特に、前記のように発熱パッド４０を別の製品の上下側に載せるとか敷いて使うものではなく、前記製品の内側に直接挿入して固定状態での使用も可能なものであり、ベストなどの衣服の場合には、別のポケットを形成しこれに挿入して使うとか衣服の内外側に縫着または別の固定手段で固定して使うこともできる。
【００２１】
このような本発明の発熱パッド４０に内装される発熱体１０は公知の多様な面状発熱体またはフレキシブル発熱体を適用することができるが、好ましくは導電性メッシュ、伸縮性発熱線または導電性合撚糸でなるフレキシブル発熱体を使うことが理想的である。前記発熱素材でなった発熱体１０は伸縮性及び柔軟性に優れて、人が座るとか横になって使用する多様な製品に一層安全な適用が可能なものである。すなわち、前記発熱体１０は格子状の心材の表面に伝導層と絶縁層を順次形成してなる柔軟性発熱メッシュで作られるか、あるいは伸縮性線材の表面に導電性コイルと絶縁層が順次形成された伸縮性発熱線で作られるか、あるいはガラス繊維が合撚された心糸の表面に導電層と絶縁層を順次形成してなった導電性合撚糸を緯糸及び経糸の形に製織してなったものを使って製作することもできる。このような多様な種類の発熱体１０はもう公知されたもので、多様な分野にもう適用されているので、その具体的な構造、機能及び作用については省略する。
【００２２】
ただ、本発明では、前記発熱体１０を用いて大型の発熱パッド４０を製作しようとする場合、前記発熱体１０は大型化によって電源の供給がなだらかにならなくて全体的に均一な発熱ができない問題点を持つことになる。このような問題点を克服するために、本発明は、前記発熱体１０の両側端に平行に配置されるメイン電源線１１、１１’を形成し、これらのメイン電源線１１、１１’の間には等間隔で平行に配置される付加の補助電源線１２、１２’を形成することで、前記メイン電源線１１、１１’及び補助電源線１２、１２’によって発熱体１０が全体的に均一な電圧分布及び発熱温度を維持するようにしたものである。
【００２３】
すなわち、前記電源線は、発熱体１０の両側端に互いに平行に配置されるメイン電源線１１、１１’と、これらのメイン電源線１１、１１’の間に一定間隔で配置される補助電源線１２、１２’とからなるもので、前記メイン電源線１１、１１’と補助電源線１２、１２’は発熱体１０の導電部と電気的な連結状態を維持するので、これらメイン電源線１１、１１’と補助電源線１２、１２’に電源を印加すれば、前記発熱体１０は通電状態になるとともに、発熱体１０そのものが低抗体の役目をして抵抗による発熱作用をするようになるものである。
【００２４】
特に、前記補助電源線１２、１２’は発熱体１０の広さや長さによって多様な本数で適用することができる。発熱体１０が広いとか長い場合には、補助電源線１２、１２’の本数を比例的に増やして、電源線間の間隔が大き過ぎないようにしなければならない。
【００２５】
したがって、前記のような補助電源線１２、１２’の本数を加減して発熱体１０を製作することができるので、発熱体の長さがいくら長くなるとか広さが大きくなっても実際に電源が供給される部位の抵抗値は実質的に一定に維持されて電圧降下が全然生じないだけでなく、電流分布が均一になるので、局所加熱または局所低温現象を予防することができるものである。
【００２６】
また、前記メイン電源線１１、１１’と補助電源線１２、１２’は交番に相異なる極性の電源が印加されるように連結しなければならない。印加される電源が交流の場合には問題がないが、直流の場合には、隣合う電源線の極性が同一であれば相互間に通電がなされないため、隣合う電源線間には相異なる極性の電源が印加されるように、これらメイン電源線１１、１１’と補助電源線１２、１２’を陽極または陰極の電源部にそれぞれ区分して接続すれば、印加される電源によって前記発熱体１０が均一で安定に発熱するものである。また、特定の電圧に合わせて発熱体を製作しようとする場合には、使用しようとする電圧に合わせて発熱体１０の格子のサイズを調節することで、これに設置される補助電源線１２、１２’の設置間隔を調節すれば良いものである。
【００２７】
このような構成の発熱体１０をくるむとか表面に覆われる表皮材３０は、その表皮材３０の材質によって本発明の発熱パッド４０の付加的な作用を向上させる。例えば、防水材でなった表皮材３０は発熱パッド４０の防水性を向上させ、伸縮性纎維でなった表皮材３０は発熱パッド４０の伸縮性を向上させるので、前記表皮材３０はいずれか１種の特定素材に制限されるものではなく、発熱の条件下で変形しない素材であればいずれも適用可能である。
【００２８】
すなわち、図３に示すように、前記発熱体１０の上下側にネオプレンシート３１、３１’を接合して、これらのネオプレンシート３１、３１’の間に発熱体１０が内装されるようにする場合には、下側のネオプレンシート３１上に外部から電源が連結できる状態の発熱体１０を載せ、前記発熱体１０の上面に上側のネオプレンシート３１’を順次載せた後、高温の加圧プレス装置で前記ネオプレンシート３１、３１’を加圧すれば、これらのネオプレンシート３１、３１’の接触部分が互いに熱溶融して分割状態のネオプレンシート３１、３１’が互いに接合するとともに、これらのネオプレンシート３１、３１’の間に位置する発熱体１０が埋め込まれて隠蔽されることで、一体化した状態の発熱パッド４０が完成されるものである。また、前記ネオプレンシート３１、３１’の代わりに伸縮性に優れたスパンデックス（ｓｐａｎｄｅｘ）で表皮材３０を形成する場合には、前記発熱パッド４０はもっと優れた伸縮性を持つようになるので、人体の動きまたは発熱パッド４０に加わる多様な圧力及び荷重に対して無理なく連続的で安全な使用が可能なものである。
【００２９】
図４は本発明の発熱パッド４０を構成するための表皮材３０をポリウレタンシート３７、３７’で形成したものである。前記発熱体１０の表面に無毒の水溶性粘着剤でなった接着層３６を形成した状態で、上下に区分されたポリウレタンシート３７、３７’を互いに当接して接着固定するか、あるいは単一シート状になったポリウレタンシートが前記発熱体１０を包んだ状態で接着固定されるようにしたもので、前記ポリウレタンシート３７、３７’が持つ高度の弾性力とともに防水性が付与された発熱パッド４０を完成することができるようになる。
【００３０】
図５は本発明の発熱パッド４を構成するための表皮材３０を断熱シート３３と蓄熱伝達シート３４で形成してなるもので、前記断熱シート３３は発熱体１０の熱気を一側方向に放出されることを遮断する役目のものであり、前記蓄熱伝達シート３４は発熱体１０の熱気を吸収して表面で発熱するようにするものである。
【００３１】
すなわち、前記蓄熱伝達シート３４はテクノサーモ（Ｔｅｃｈｎｏ
ｔｈｅｒｍｏ）でなった原材の上面に綿織シートを付けてなるもので、前記テクノサーモ（Ｔｅｃｈｎｏ ｔｈｅｒｍｏ）は光エネルギー吸収及び発熱機能の原糸とＷ断面の原糸を組み合わせて製作することで一層高い保温性を実現させた新素材で、光エネルギーが活発ではない曇った天気でも一般的な原材よりは保温性に優れ、従来の蓄熱機能原糸に比べて熱伝導性が低い素材なので、熱気が外部に漏出される現象を防止する効果がある原材である。これにより、前記蓄熱伝達シート３４は発熱体１０による熱気が漏出されることを遮断するので、放熱による熱損失を最少化するものであり、綿織シートは柔らかい触感を提供するので、もっと安楽な感じを有するものである。
【００３２】
また、前記断熱シート３３はファイバーガラスシリカパッド（ｆｉｂｅｒ  ｇｌａｓｓ  ｓｉｌｉｃａ  ｐａｄ）でなるもので、ファイバーガラスシリカパッド（ｆｉｂｅｒ  ｇｌａｓｓ  ｓｉｌｉｃａ  ｐａｄ）は通常に宇宙服素材とも言われるものであり、数千℃の温度にも耐え、一側方向への熱伝導をまったく遮断する機能を持つ素材として広く知られているものである。前記断熱シート３３は発熱体１０からの熱気が不要な方向に向かうことを遮断するとともに、前記熱気が人体に向かってだけ全部伝達されることができるようにするので、熱気の無駄な放出を遮断してもっと高効率の発熱特性を発揮するものである。このように作られた発熱パッド４０は、蓄熱伝達シート３４と断熱シート３３の間に位置する発熱体１０の熱が均等で効果的に拡散及び伝導できるので、非常に効果的なものである。
【００３３】
図６は前記のように多様な素材でなった表皮材３０を上下に重畳して接合する過程で、前記表皮材３０の相互間の接合性を向上させるための手段を示すもので、上下のネオプレンシート３１、３１’または断熱シート３３及び蓄熱伝達シート３４を接着固定しようとする場合、これらのシートがもっと効果的に接合されるように、これらの分割されたシートの間に付加の接着フィルム３２を挿入して加圧することによる接着フィルム３２の溶融状態によって相互間の堅固な水密接合がなされるものである。
【００３４】
すなわち、前記のような表皮材３０の間にビニルシートのような付加の接着フィルム３２を挿入し、これらを同時に加熱圧着する場合には、前記ビニルシートでなった接着フィルム３２は融点が非常に低い特性を持っているので、前記ビニルシートより高い融点を持つ多様な材質の表皮材３０を使うことができる利点を持つようになる。例えば、前記表皮材３０を不織布または織物シートなどで製作する場合には、これらの不織布や織物シートでなった表皮材３０によって発熱パッド４０の柔らかい触感を与えるのはもちろんのこと、柔軟性には影響を及ぼさないながらも耐久性を向上させる役目を持つようになる。
【００３５】
図７は本発明の発熱パッド４０を構成するための表皮材３０をネオプレンシート３１、３１’、断熱シート３３及び蓄熱伝達シート３４で形成してなるもので、前記のような発熱体１０の上下側には蓄熱伝達シート３４と断熱シート３３をそれぞれ密着して形成し、これらの蓄熱伝達シート３４と発熱シート３３の外表面にはネオプレンシート３１、３１’、または必要な場合にポリウレタンシート３７、３７’を重畳し、これらを同時に加熱圧着して重畳した形態の発熱パッド４０が出来上がるものである。
【００３６】
このような発熱パッド４０は蓄熱作用による潜熱効果と断熱シート３３による熱気の損失を防止する効果を有するものであり、ネオプレンシート３１、３１’によっては伸縮性、耐久性、耐火学性、絶縁性及び防水性などを向上させることができるので、もっと複合的な効果を得ることができる。
【００３７】
図８は本発明の発熱パッド４０を構成するための表皮材３０を発熱体１０の外面全面に発泡成形されるウレタンフォーム３５で構成したもので、メッシュまたは格子状の発熱体１０の間隙及び上下面の全面にわたって発泡成形されるウレタンフォーム３５は前記発熱体１０と表皮材３０間の空間や隙間を全然発生させないので、もっと優れた水密性及び防水性を持つようになり、さらにウレタンフォーム３５も柔軟性及び伸縮性に優れて前記発熱パッド４０そのものに柔軟性及び伸縮性を付与するのに理想的な形態になる。なお、前記ウレタンフォーム３５は絶縁効果にも優れてもっと合理的な使用が可能なものである。
【００３８】
このように多様な材質及び素材でなった表皮材３０による本発明の発熱パッド４０は、前記のように表皮材３０の内部に単一個体の発熱体１０を内装して製作することもできるが、より好ましくは前記発熱体１０を均等なサイズまたは不均等なサイズに多数に分割し、これを表皮材３０の内部に内装して製作することが、電力節減の面でもっと効果的なものである。
【００３９】
すなわち、図９に示すように、前記表皮材３０の内側に埋め込まれる発熱体１０を平面上で縦横方向に多数に分割し、これを配置して形成する。これらの分割発熱体１０’、１０”は電源を供給するためのコントローラー２０に全部が同時に並列で連結されるか、それとも個別的な電源供給線に区分して連結されるようにすることができる。
【００４０】
したがって、前記のようにすべての分割発熱体１０’、１０”をコントローラー２０に並列で連結する場合、これらすべての分割発熱体１０’、１０”に対する電源の同時印加または遮断によって発熱パッド４０の全面にわたって均等な発熱温度を持つようにすることができ、前記分割発熱体１０’、１０”を、図１０に示すように、それぞれ個別的にコントローラー２０に区分して連結する場合には、分割発熱体１０’、１０”に対する全ての電源の印加及び遮断、そして個別的な印加及び遮断が可能になるものである。すなわち、前記のように、分割発熱体１０’、１０”に対する個別的な電源の印加及び遮断が可能な場合、これらそれぞれの分割発熱体１０’、１０”の順次発熱がなされるように制御することができる。前記分割発熱体１０’、１０”を順次発熱及び電源遮断する場合、すべての分割発熱体１０’、１０”を同時に発熱させる場合に比べ、最大７０％の電力節減が得られるものである。
【００４１】
すなわち、発熱初期には分割発熱体１０’、１０”のすべての同時発熱がなされるようにした後、温度が上昇すれば、一遍に電源の遮断と同時に一つの分割発熱体１０’、１０”または仮想に区画された一部の分割発熱体１０’、１０”にだけ電源を印加し、ついで指定時間の間に発熱した後に該当の分割発熱体１０’、１０”には電源を遮断し、隣合う他の分割発熱体１０’、１０”に電源を印加する方式で順次点滅発熱がなされるようにするものである。
【００４２】
このような間歇的な順次点滅による発熱がなされるようにする場合、全体発熱に比べて著しい電力節減の効果を得ることができ、前記分割発熱体１０’、１０”の熱気を、多様な材質の表皮材３０の特性によって前記発熱パッド４０が一定水準で持続して維持及び放出することができるので、電力節減効果が非常に高いと言える。
【００４３】
以上のように、単一個体または分割された個体の発熱体１０に電源を供給するためのコントローラー２０は、図１１に示すように、交流電源や直流電源を連結することができるジャックコネクタを持つ電源供給部２１を内装し、前記電源供給部２１に連結された中央処理部２４には時間調節部２２と温度調節部２３がそれぞれ連結されていることにより、これらの時間調節部２２と温度調節部２３によって発熱体１０の発熱温度及び発熱時間の自由な調節が可能なものである。また、前記のように設定された時間、温度及び充電状態などは別の表示部２５によって確認することができる。
【００４４】
特に、前記電源供給部２１は一般家庭用交流電源を使うとか別のアダプダや充電池などを用いた直流電源を使うことができる。直流電源を用いようとする場合には、スーパーコンデンサーがより適合し、前記充電池をコントローラー２０に内装することで、別のＡＣアダプダなどによる充電使用または直接使用が可能であろう。なお、前記電源供給部２１に充電池を内装して製作する場合、充電された状態の電源を用いて本発明の発熱パッド４０を発熱させることができるので、前記発熱シート４０を移動させるとか、野外または家庭用交流電源の供給が円滑でないない場所でも不便さなしに使うことができる。
【００４５】
すなわち、前記コントローラー２０に結合される電源供給部２１は使用者の必要によって交流電源や直流電源または自体充電部によって前記発熱パッド４０内の発熱体１０に電源を供給することができる。家庭用電源を直接用いようとする場合には、図１２に示すように、前記コントローラー２０の電源供給部２１に連結される付加のＡＣコード２６とダウントランス２６’を備えることで、常用のＡＣ２２０Ｖの家庭用電源を前記ＡＣコード２６を介してダウントランス２６’によってＡＣ２４Ｖの比較的低い電圧で電源供給部２１に提供し、前記のような低電圧の電源を受ける電源供給部２１からコントローラー２０の制御によって前記発熱体１０に電源を供給するものである。
【００４６】
また、前記ＡＣコード２６とダウントランス２６’を使用せず、図１３に示すように、トランス回路と整流回路が内装された別のＡＣアダプダ２７を使うことにより、家庭用電源が２４Ｖの低電圧直流の状態で電源供給部２１に直接供給されて使用できるようにするものであり、図１４に示すように、前記電源供給部２１内に充電部２８を設け、前記充電部２８に連結される別の充電器２８’を備えることで前記充電器２８’によって充電部２８が蓄電されるようにすれば、前記コントローラー２０とともに発熱パッド４０を移動して使用することができる。よって、ベビーカー、車寄子、テントまたは寝袋のように移動が必要であるとか、野外で使われる多様な製品にも効果的な活用が可能であろう。
【００４７】
以上のような本明細書に記載された実施例と図面に例示された構成は本発明の最も好適な一実施例に過ぎないもので、本発明の技術的思想のすべてを示すものではないので、これらを取り替えることができる多様な均等物と変形例があり得ることを理解しなければならない。
【符号の説明】
【００４８】
１０    発熱体
１１、１１’    メイン電源線
１２、１２’    補助電源線
２０    コントローラー
２１    電源供給部
２２    時間調節部
２３    温度調節部
２４    中央処理部
２５    表示部
２６    ＡＣコード
２７    ＡＣアダプダ
２８    充電部
３０    表皮材
３１、３１’    ネオプレンシート
３２    接着フィルム
３３    断熱シート
３４    蓄熱伝達シート
３５    ウレタンフォーム
３６    接着層
３７、３７’    ポリウレタンシート
４０    発熱パッド
【図１】
2013512550.tif 000003
【図２】
2013512550.tif 000004
【図３】
2013512550.tif 000005
【図４】
2013512550.tif 000006
【図５】
2013512550.tif 000007
【図６】
2013512550.tif 000008
【図７】
2013512550.tif 000009
【図８】
2013512550.tif 000010
【図９】
2013512550.tif 000011
【図１０】
2013512550.tif 000012
【図１１】
2013512550.tif 000013
【図１２】
2013512550.tif 000014
【図１３】
2013512550.tif 000015
【図１４】
2013512550.tif 000016
【国際調査報告】
2013512550.tif 000017
2013512550.tif 000018
2013512550.tif 000019
2013512550.tif 000020